(57)【要約】【課題】ハンドオーバする端末の残存パケットを端末に送信する際、隣接するセルの干渉の影響を低減し、スループットを向上する。【解決手段】複数の周波数帯域ｆ１〜ｆ４を重複しないように端末２ａ〜２ｎに割り当て無線通信を行う通信装置１の電力増加手段１ａは、複数の周波数帯域ｆ１〜ｆ４の１つの周波数帯域ｆ４の無線送信電力を増加させる。周波数帯域割り当て手段１ｂは、電力増加手段１ａが無線送信電力を増加させた周波数帯域ｆ４を、ハンドオーバする端末２ａに割り当てる。これにより、通信装置１は、増加した無線送信電力で残存パケットを端末２ａに送信することができる。【選択図】図１
2008011292.tif 000002
【特許請求の範囲】
【請求項１】
複数の周波数帯域を重複しないように端末に割り当て無線通信を行う基地局の通信装置において、
前記複数の周波数帯域の１つの周波数帯域の無線送信電力を増加させる電力増加手段と、
ハンドオーバする前記端末に前記無線送信電力を増加させた前記周波数帯域を割り当てる周波数帯域割り当て手段と、
を有することを特徴とする通信装置。
【請求項２】
前記電力増加手段は、前記ハンドオーバする前記端末の残存パケットのＱｏＳがしきい値を超えた場合に、前記無線送信電力を増加することを特徴とする請求項１記載の通信装置。
【請求項３】
前記端末のスループットを検出するスループット検出手段と、をさらに有し、
前記電力増加手段は、前記スループットに応じて、前記無線送信電力を増加させることを特徴とする請求項１記載の通信装置。
【請求項４】
セル内の前記端末の無線品質を検出する無線品質検出手段と、
前記無線品質に基づいて、ハンドオーバ元通信装置が前記無線送信電力を増加させた前記周波数帯域を検出する周波数検出手段と、
検出した前記周波数帯域の前記無線送信電力を低減する電力低減手段と、
を有することを特徴とする請求項１記載の通信装置。
【請求項５】
前記電力低減手段は、低減する前記無線送信電力を他の前記周波数帯域の前記無線送信電力に割り当てることを特徴とする請求項４記載の通信装置。
【発明の詳細な説明】
【技術分野】
【０００１】
本発明は通信装置に関し、特に複数の周波数帯域の１つを端末に割り当て無線通信を行う基地局の通信装置に関する。
【背景技術】
【０００２】
セルラ方式の移動体通信では、端末は自分の属しているセルの基地局と無線通信を行う。そのため、端末は、通信中に移動すると、無線通信する基地局の切替え（ハンドオーバ）が生じる場合がある。
【０００３】
図２６は、ハンドオーバを説明するための移動体通信システムを示した図である。図には、ＢＳ（Base Station）１０１，１０２、端末１１１、およびＢＳ１０１，１０２の通信範囲を示したセル１２１，１２２が示してある。
【０００４】
端末１１１は、ＢＳ１０１，１０２から共通パイロットを受信する。端末１１１は、受信した共通パイロットの受信レベルを比較し、ＨＯ（ハンドオーバ）要求の出力を判断する。
【０００５】
例えば、図の矢印に示すように、端末１１１がセル１２１からセル１２２へ移動するとする。端末１１１がセル１２１とセル１２２の境界に近づくと、ＢＳ１０２の共通パイロットの受信レベルは徐々に大きくなる。端末１１１は、ＢＳ１０２の共通パイロットの受信レベルがＢＳ１０１の共通パイロットの受信レベルより大きくなると、ＢＳ１０１に対してＨＯ要求を送信する。
【０００６】
図２７は、図２６の移動体通信システムのシーケンス図である。図には、図２６の端末１１１およびＢＳ１０１，１０２が示してある。また、コアネットワーク（ＣＮ）が示してある。ＣＮは、ＢＳ１０１，１０２の上位のネットワークに存在する通信装置であり、基地局間のデータ（パケット）のやり取りを行う。
【０００７】
［ステップＳ１２１］端末１１１は、ＢＳ１０１の近隣に居るとする。端末１１１は、ＢＳ１０１とパケットの送受信を行い、ＢＳ１０１は、ＣＮとパケットの送受信を行っている。これにより、端末１１１は、他の端末等と通信をすることができる（通常の通信）。
【０００８】
［ステップＳ１２２］端末１１１は、セル１２２へ移動するとする。これにより、ＢＳ１０２の共通パイロットの受信レベルは、ＢＳ１０１の共通パイロットの受信レベルより大きくなり、端末１１１は、ＢＳ１０１に対してＨＯ要求を送信する。
【０００９】
［ステップＳ１２３］ＢＳ１０１は、端末１１１から受信したＨＯ要求を、ＨＯ先のＢＳ１０２に送信する。
［ステップＳ１２４］ＢＳ１０２は、端末１１１からのＨＯ要求を受けて、ＣＮに対し、切替え要求を行う。これにより、ＣＮは、端末１１１宛てのパケットをＢＳ１０１からＢＳ１０２に切替えて送信することになる。
【００１０】
［ステップＳ１２５］ＢＳ１０１には、端末１１１宛てのパケット（残存パケット）が残っている。ＢＳ１０１は、この残存パケットを端末１１１に送信する。
［ステップＳ１２６］ＣＮは、端末１１１宛てのパケットをＢＳ１０２に送信する。なお、ＣＮは、ＢＳ１０２からの切替え要求を受けて、端末１１１宛てのパケットをＢＳ１０２に送信するので、ステップＳ１２５の前に端末１１１宛てのパケットがあれば、ステップＳ１２５の前でもパケットをＢＳ１０２に送信する。
【００１１】
［ステップＳ１２７］ＢＳ１０１は、残存パケットを全て端末１１１に送信すると、ＨＯ切替え要求を端末１１１に送信する。
［ステップＳ１２８］ＣＮは、端末１１１宛てのパケットがあれば、ＢＳ１０２に送信する。
【００１２】
［ステップＳ１２９］端末１１１は、ＢＳ１０１からのＨＯ切替え要求を受けて、ＢＳ１０２に対し、パケットの送信要求を行う。
［ステップＳ１３０］ＣＮは、端末１１１宛てのパケットがあれば、ＢＳ１０２に送信する。
【００１３】
［ステップＳ１３１］ＢＳ１０２は、送信要求を出した端末１１１と通信を開始する。ＢＳ１０２は、これまでＣＮから送信されてきた、端末１１１宛てのパケット（蓄積パケット）を端末１１１に送信する。
【００１４】
［ステップＳ１３２］端末１１１は、ＢＳ１０２とパケットの送受信を行い、ＢＳ１０２は、ＣＮとパケットの送受信を行う。これにより、端末１１１は、ＢＳ１０２およびＣＮを介して、他の端末等と通信をすることができる（通常の通信）。
【００１５】
このように端末１１１がＨＯ要求をすると、ＨＯ元のＢＳ１０１には、端末１１１宛ての残存パケットが残存する。また、ＨＯ先のＢＳ１０２には、端末１１１宛ての蓄積パケットが蓄積される（図２７のステップＳ１２６，Ｓ１２８，Ｓ１３０のパケットが蓄積される）。
【００１６】
図２８は、残存パケットと蓄積パケットを説明する図である。図において、図２６と同じものには同じ符号を付し、その説明を省略する。
図には、ＢＳ１０１の残存パケットを記憶するメモリ１３１と、ＢＳ１０２の蓄積パケットを記憶するメモリ１３２と、ＣＮ１４１とが示してある。端末１１１は、ＨＯの際にメモリ１３１に残存した残存パケットを受信し、ＢＳ１０２のメモリ１３２に蓄積された蓄積パケットを受信する。
【００１７】
端末１１１は、セル１２１とセル１２２の境界の、ＢＳ１０２との電波環境がよくなった位置で、ＨＯ要求を行うことになる。すなわち、端末１１１は、ＢＳ１０２のセル１２２の干渉を受ける環境で、ＢＳ１０１のメモリ１３１に残存している残存パケットを受信することになる。
【００１８】
なお、従来、移動局がソフトハンドオーバ状態にあって、複数の基地局とＤＰＣＨ（Dedicated Physical Channel）を設定している状態のときにも、パケット送信基地局が十分な品質でＨＳ−ＤＰＣＣＨ（High-speed Dedicated Physical Control Channel）を受信できるようにして、ＡＣＫ／ＮＡＣＫ（Acknowledge/Non-Acknowledge）信号の誤り率を減少し、パケットロスをなくすセルラシステムが提供されている（例えば、特許文献１参照）。
【特許文献１】特開２００４−７０３０号公報
【発明の開示】
【発明が解決しようとする課題】
【００１９】
このように、ＨＯ要求は、セルの境界で行われ、端末とＨＯ元の基地局は、隣接するセルの干渉の影響を受けて残存パケットの送受信を行うことになる。すなわち、残存パケットのスループットは、隣接するセルの干渉の影響を受けて低下するという問題点があった。
【００２０】
本発明はこのような点に鑑みてなされたものであり、残存パケットを送信する際の隣接するセルの干渉の影響を低減し、スループットを向上することができる通信装置を提供することを目的とする。
【課題を解決するための手段】
【００２１】
本発明では上記問題を解決するために、図１に示すような複数の周波数帯域ｆ１〜ｆ４を重複しないように端末２ａ〜２ｎに割り当て無線通信を行う基地局の通信装置１において、複数の周波数帯域ｆ１〜ｆ４の１つの周波数帯域ｆ４の無線送信電力を増加させる電力増加手段１ａと、ハンドオーバする端末２ａに無線送信電力を増加させた周波数帯域ｆ４を割り当てる周波数帯域割り当て手段１ｂと、を有することを特徴とする通信装置１が提供される。
【００２２】
このような通信装置によれば、複数の周波数帯域ｆ１〜ｆ４の１つの周波数帯域ｆ４の無線送信電力を増加させる。そして、ハンドオーバする端末２ａに、無線送信電力を増加させた周波数帯域ｆ４を割り当てる。
【発明の効果】
【００２３】
本発明の通信装置では、ハンドオーバする端末に対し、無線送信電力を増加した周波数帯域を割り当てるようにした。これによって、通信装置は、増加した無線送信電力で残存パケットを端末に送信することができ、残存パケットを送信する際の隣接するセルの干渉の影響を低減してスループットを向上することができる。
【発明を実施するための最良の形態】
【００２４】
以下、本発明の原理を図面を参照して詳細に説明する。
図１は、通信装置の概要を示した図である。図には、基地局に設置される通信装置１，３と、通信装置１と無線通信を行う端末２ａ〜２ｎとが示してある。また、通信装置１が端末２ａ〜２ｎに割り当てる周波数帯域とその無線送信電力との関係を示したグラフが示してある。
【００２５】
図に示す通信装置１は、複数の周波数帯域ｆ１〜ｆ４を重複しないように端末２ａ〜２ｎに割り当て無線通信を行う。例えば、端末２ａに周波数帯域ｆ１、端末２ｂに周波数帯域ｆ２、端末２ｎに周波数帯域ｆ３を割り当てて通信を行う。通信装置１は、電力増加手段１ａおよび周波数帯域割り当て手段１ｂを有している。
【００２６】
電力増加手段１ａは、ＨＯが行われていないとき、複数の周波数帯域ｆ１〜ｆ４の無線送信電力を均等となるように制御している。電力増加手段１ａは、ＨＯが開始されると、複数の周波数帯域ｆ１〜ｆ４のうちの、１つの周波数帯域の無線送信電力を増加する。
【００２７】
例えば、端末２ａが通信装置１から通信装置３にＨＯするとする。この場合、電力増加手段１ａは、図のグラフに示すように、周波数帯域ｆ４の無線送信電力を増加させる。
周波数帯域割り当て手段１ｂは、電力増加手段１ａが無線送信電力を増加させた周波数帯域ｆ１〜ｆ４を、ＨＯする端末に割り当てる。
【００２８】
例えば、上記例の場合、周波数帯域割り当て手段１ｂは、ＨＯする端末２ａに、無線送信電力を増加させた周波数帯域ｆ４を割り当てる。
このように、通信装置１は、ＨＯする端末２ａに対し、無線送信電力を増加した周波数帯域ｆ４を割り当てるようにした。これによって、通信装置１は、増加した無線送信電力で残存パケットを端末２ａに送信することができ、隣接する通信装置３の、セルの干渉の影響を低減し、スループットを向上することができる。
【００２９】
次に、本発明の実施の形態を図面を参照して詳細に説明する。
図２は、移動体通信システムの構成例を示した図である。図には、ＢＳ１１，１２、端末２１、およびＢＳ１１，１２の通信範囲を示したセル３１，３２が示してある。
【００３０】
端末２１は、ＢＳ１１，１２から共通パイロットを受信する。端末２１は、受信した共通パイロットに基づいて、例えば、ＣＱＩ（Channel Quality Indicator）などの無線品質を算出し、ＢＳ１１，１２に送信する。ＢＳ１１，１２は、端末２１から受信した無線品質に基づいて、複数の周波数帯域の１つを端末２１に割り当てて通信する。
【００３１】
端末２１は、受信した共通パイロットの受信レベルを比較し、ＨＯ要求の出力を判断する。例えば、図の矢印に示すように、端末２１がセル３１からセル３２に移動するとする。端末２１は、セル３１とセル３２の境界に入り、ＢＳ１２の共通パイロットの受信レベルが、ＢＳ１１の共通パイロットの受信レベルを超えると、ＢＳ１１に対してＨＯ要求を送信する。
【００３２】
ＨＯ元となるＢＳ１１は、端末２１からＨＯ要求があると、複数の周波数帯域のうちの１つの周波数帯域の無線送信電力を増加させる。そして、ＢＳ１１は、ＨＯ要求のあった端末２１に、電力を増加させた周波数帯域を割り当てる。
【００３３】
ＨＯ先となるＢＳ１２は、ＨＯ元のＢＳ１１の電力を増加させた周波数帯域を検出する。そして、ＢＳ１２は、検出した周波数帯域の電力を低減する。
これにより、端末２１は、ＨＯ元であるＢＳ１１から、電力を増加した周波数帯域が割り当てられるので、隣接するセルの干渉の影響が抑制され、残存パケットの送受信のスループットを向上することができる。
【００３４】
また、ＨＯ先のＢＳ１２は、ＢＳ１１が電力増加させた周波数帯域の電力を下げるので、残存パケットの送信の際の、セル間の干渉の影響が抑制され、残存パケットの送受信のスループットを向上することができる。
【００３５】
以下、図２で示したＨＯ元のＢＳ１１の電力増加と、ＨＯ先のＢＳ１２の電力低減について詳細に説明する。まず、ＨＯ元のＢＳ１１の電力増加について説明する。
図３は、ＢＳの通常時の電力を示した図である。図のグラフの横軸は、端末２１に割り当てる周波数帯域を示し、縦軸は、ＢＳ１１の無線送信電力のパワーを示している。
【００３６】
ＢＳ１１は、例えば、図の周波数帯域ｆ１〜ｆ４の１つを端末２１に割り当てて通信するとする。ＢＳ１１は、ＨＯ制御を行っていないとき（通常時）、図に示すように、周波数帯域ｆ１〜ｆ４に対し、均等に電力を割り当てる。
【００３７】
図４は、ＢＳのＨＯ要求後の電力を示した図である。図のグラフの横軸は、周波数帯域を示し、縦軸は、無線送信電力のパワーを示している。
ＢＳ１１は、端末２１からＨＯ要求があると、複数の周波数帯域のうちの、１つの周波数帯域の電力を増加させる。例えば、図に示すように、ＢＳ１１は、周波数帯域ｆ４の電力を増加させる。そして、ＢＳ１１は、ＨＯ要求を行った端末２１に対し、周波数帯域ｆ４を割り当てる。これにより、ＢＳ１１は、電力を増加した周波数帯域ｆ４で、端末２１と通信を行うことができる。
【００３８】
なお、電力を増加させる周波数帯域は、端末２１がＨＯ要求を行った際に、端末２１に割り当てていた周波数帯域とすることができる。例えば、端末２１がＨＯ要求を行ったとき、端末２１に周波数帯域ｆ４が割り当てられていた場合、電力増加する周波数帯域はｆ４となる。
【００３９】
なお、電力増加する周波数帯域ｆ４には、電力増加をしない周波数帯域ｆ１〜ｆ３の電力を割り当てて、総送信電力を一定に保つ必要がある。例えば、図に示すように、周波数帯域ｆ３の電力を周波数帯域ｆ４に割り当てる。これは、ＢＳ１１の無線送信電力が一定であると決まっている場合、周波数帯域ｆ４の電力のみを増加させると、一定の電力を超えるので、周波数帯域ｆ３の電力を抑制して、周波数帯域ｆ４の電力を増加させるようにする。
【００４０】
また、周波数帯域ｆ３の電力を、全て周波数帯域ｆ４の電力に割り当てた場合、周波数帯域ｆ４の電力は、＋３ｄＢとなる。従って、ＨＯ先のセルの環境が変わらなければ、端末２１の無線品質（ＣＱＩ）は、＋３ｄＢとなる。つまり、最大伝送速度と対になるＣＱＩを＋３ｄＢ改善でき、スループットの向上を実現することができる。
【００４１】
ＢＳ１１のスケジューリングについて説明する。
図５は、通常時のスケジューリングを説明する図である。図の横軸は、端末２１に割り当てる周波数帯域を示し、縦軸は、時間を示す。
【００４２】
ＢＳ１１は、端末に対して無線品質のよい周波数帯域を割り当てるようにする。従って、ＢＳ１１は、図の四角に示すように、時間経過とともに、端末２１に割り当てる周波数帯域を切替える。例えば、図に示すように周波数帯域をｆ１，ｆ３，ｆ２，ｆ４と切替え、端末２１に割り当てていく。端末２１に割り当てていない周波数帯域は、端末２１以外の端末に重複しないように割り当てている。
【００４３】
図６は、ＨＯ要求後のスケジューリングを説明する図である。図の横軸は、端末２１に割り当てる周波数帯域を示し、縦軸は、時間を示す。
ＢＳ１１は、端末２１からのＨＯ要求があると、図４に示したように、周波数帯域ｆ４の電力を増加させる。ＢＳ１１は、電力を増加させた周波数帯域ｆ４を、ＨＯ要求を行った端末２１に割り当てる。すなわち、ＢＳ１１は、図の四角に示すように、端末２１に周波数帯域ｆ４を割り当てるようにする。
【００４４】
これにより、端末２１は、セル３１，３２の境界に居ても、ＨＯ元であるＢＳ１１から電力を増加した周波数帯域が割り当てられるので、所望信号の着信電力が増加して、残存パケットの送受信のスループットを向上することができる。
【００４５】
なお、ＢＳ１１は、残存パケットを全て端末２１に送信すると、図３に示したように電力配分を通常時に戻す。また、端末２１への周波数帯域ｆ１〜ｆ４の割り当てを、図５に示したように通常時に戻す。
【００４６】
また、上記では、ＢＳ１１は、端末２１からのＨＯ要求を受けて、電力増加の処理を行うとしたが、ＨＯ要求後、端末２１の残存パケットのＱｏＳ（Quality of Service）が所定のしきい値を超えた場合に、電力増加の処理を行うようにしてもよい。
【００４７】
図７は、ＱｏＳによる電力制御の処理を説明する図である。図のグラフの横軸は、時間を示し、縦軸は、残存パケットのＱｏＳ優先度を示す。
ＢＳ１１は、端末２１宛ての残存パケットがいつまでもメモリに残らないように、時間ｔ１後に廃棄する。一方、ＢＳ１１は、端末２１宛ての残存パケットが時間ｔ１後に廃棄されないように、残存パケットのＱｏＳ優先度を増加する。
【００４８】
ＢＳ１１は、ＨＯ要求後、残存パケットのＱｏＳ優先度がしきい値を超えた場合に、電力制御の処理を行うようにする。例えば、図に示すように、ＱｏＳ優先度がしきい値ＴＨを超えた場合に、図４に示したように周波数帯域ｆ４の電力を増加させ、図６に示したように、端末２１に周波数帯域ｆ４が割り当てられるようにスケジューリングする。
【００４９】
なお、ＱｏＳ優先度がしきい値を超える前に、残存パケットが端末２１に全て送信された場合は、ＢＳ１１は、電力制御の処理および電力増加した周波数帯域の割り当てを行わない。
【００５０】
ＢＳ１１の機能について説明する。
図８は、ＢＳの機能ブロック図である。図に示すようにＢＳ１１は、ＨＯ要求受信部１１ａ、ＱｏＳ比較部１１ｂ、電力制御部１１ｃ、およびスケジューラ１１ｄを有している。
【００５１】
ＨＯ要求受信部１１ａは、端末２１からＨＯ要求を受信すると、その旨をＱｏＳ比較部１１ｂに通知する。
ＱＯＳ比較部１１ｂは、ＨＯ要求受信部１１ａから、ＨＯ要求を受信した旨の通知を受けると、メモリに記憶されている残存パケットのＱｏＳ優先度としきい値とを比較する。ＱｏＳ比較部１１ｂは、残存パケットのＱｏＳ優先度がしきい値を超えると、その旨を電力制御部１１ｃおよびスケジューラ１１ｄに通知する。
【００５２】
電力制御部１１ｃは、ＱｏＳ比較部１１ｂから、残存パケットのＱｏＳ優先度がしきい値を超えた旨の通知を受けて、端末２１と無線通信する電波の電力制御を行う。例えば、図４に示したように、周波数帯域ｆ３の電力を周波数帯域ｆ４の電力に割り当て、周波数帯域ｆ４の電力を増加させる。
【００５３】
スケジューラ１１ｄは、ＱｏＳ比較部１１ｂから、残存パケットのＱｏＳ優先度がしきい値を超えた旨の通知を受けて、電力制御部１１ｃによって電力増加された周波数帯域に、ＨＯ要求してきた端末を割り当てる。例えば、図６に示したように、周波数帯域ｆ４に端末２１を割り当てる。
【００５４】
スケジューラ１１ｄは、ＨＯ要求を行っていない端末に対しては、通常と同様の適応変調のスケジューリングを行う。従って、スケジューラ１１ｄは、ＨＯ要求を行っていない端末に対して、残りの周波数帯域ｆ１〜ｆ３を割り当てる。また、周波数帯域ｆ３の電力を周波数帯域ｆ４に全て割り当てた場合、スケジューラ１１ｄは、ＨＯ要求を行っていない端末に対して、周波数帯域ｆ１，ｆ２を割り当てることになる。
【００５５】
なお、残存パケットのＱｏＳ優先度をしきい値と比較せず、ＨＯ要求があったときに電力制御およびスケジューリングの処理を行う場合は、図８のＱｏＳ比較部１１ｂは、不要である。この場合、電力制御部１１ｃおよびスケジューラ１１ｄは、ＨＯ要求受信部１１ａからのＨＯ要求を受信した旨の通知を受けて、上記の電力制御およびスケジューリングの処理を行う。
【００５６】
また、スケジューラ１１ｄがＨＯ要求受信部１１ａ、ＱｏＳ比較部１１ｂ、および電力制御部１１ｃの機能を有していてもよい。
このように、端末２１は、セル３１，３２の境界に居ても、ＨＯ元であるＢＳ１１から電力を増加した周波数帯域が割り当てられるので、所望信号の着信電力が増加して、残存パケットの送受信のスループットを向上することができる。
【００５７】
また、残存パケットのスループットを向上させたことにより、端末のＨＯ先の基地局への接続切替え時間を短縮することができる。
次に、ＨＯ先のＢＳ１２の電力低減について説明する。ＨＯ先のＢＳ１２は、上述したように、ＢＳ１１が端末に割り当てた周波数帯域の電力を下げることによって、セルの干渉の影響を低減し、ＢＳ１１と端末２１との残存パケットのスループットを向上させる。
【００５８】
図９は、移動体通信システムの構成例を示した図である。図において、図２と同じものには同じ符号を付し、その説明を省略する。
図に示すように、セル３２には、端末４１〜４４が存在している。端末４１は、現在、周波数帯域ｆ４が割り当てられ、端末４２は周波数帯域ｆ３が割り当てられ、端末４３は周波数帯域ｆ２が割り当てられ、端末４４は周波数帯域ｆ１が割り当てられているとする。ＢＳ１１は、端末２１のＨＯ要求によって、周波数帯域ｆ４の電力を増加させたとする。
【００５９】
この場合、セル３１，３２の境界で、ＢＳ１２と周波数帯域ｆ４で通信している端末４１は、ＢＳ１１による干渉電力が大きくなる。例えば、ＢＳ１１の周波数帯域ｆ４の電力が２倍になったとする。この場合、周波数帯域ｆ４でＢＳ１２と通信している端末４１は、ＢＳ１１による干渉電力が約２倍（＋３ｄＢ）となり、端末４１のＣＱＩは、約−３ｄＢ劣化することになる。これに対し、他の周波数帯域ｆ１〜ｆ３のＣＱＩは、ＢＳ１１が電力増加させた周波数帯域と異なるので劣化しない。
【００６０】
すなわち、端末４１〜４４の無線品質は、ＢＳ１１の電力増加によって影響を受け変化する。従って、ＢＳ１２は、端末４１〜４４の無線品質を参照することにより、ＨＯ元のＢＳ１１がどの周波数帯域を増加させたか検出でき、ＨＯ元のＢＳ１１が電力増加させた周波数帯域の電力を低減することができる。
【００６１】
なお、図４で説明したように、ＢＳ１１が周波数帯域ｆ３の電力を周波数帯域ｆ４に割り当てて増加させた場合には、周波数帯域ｆ３におけるＣＱＩはよくなる。ＢＳ１１の周波数帯域ｆ３の干渉電力が小さくなるからである。
【００６２】
図１０は、ＨＯ先のＢＳと通信している端末のＣＱＩを示した図である。図には、端末４１，４２のＣＱＩが示してある。
端末４１〜４４は、ＢＳ１２から共通パイロットを受信し、ＳＩＮＲ（Signal to Interface and Noise Ratio）を算出する。端末４１〜４４は、連続値であるＳＩＮＲを離散値であるＣＱＩに変換して、ＢＳ１２に送信する。例えば、端末４１〜４４は、０〜１ｄＢのＳＩＮＲをＣＱＩ１と変換し、１〜２ｄＢのＳＩＮＲをＣＱＩ２と変換し、２〜３ｄＢのＳＩＮＲをＣＱＩ３と変換する。なお、ＢＳ１２は、端末４１〜４４との無線品質が分かればよく、上記のＳＩＮＲ，ＣＱＩに限るものではない。
【００６３】
上述したように、ＢＳ１１が、周波数帯域ｆ３の電力を周波数帯域ｆ４に割り当てて電力を増加させたとする。すると、周波数帯域ｆ４で通信していた端末４１のＣＱＩは、ＢＳ１１のセル干渉のため、図に示すように点線から減少する。なお、図の点線は、ＢＳ１１が周波数帯域ｆ４の電力を増加させる前の端末４１のＣＱＩを示す。
【００６４】
一方、周波数帯域ｆ３で通信していた端末４２のＣＱＩは、ＢＳ１１のセル干渉がなくなるため、図に示すように点線から増加する。なお、図の点線は、ＢＳ１１が周波数帯域ｆ４の電力を増加させる前の端末４２のＣＱＩを示す。
【００６５】
このように、端末４１〜４４のＣＱＩは、ＢＳ１１の電力変化によって変化する。従って、ＨＯ先のＢＳ１２は、端末４１〜４４のＣＱＩを監視することにより、ＨＯ元のＢＳ１１がどの周波数帯域を増減させたか検出することができる。そして、ＨＯ先のＢＳ１２は、ＨＯ元のＢＳ１１が電力増加させた周波数帯域の電力を増減することができる。
【００６６】
図１１は、ＢＳのＨＯ要求後の電力を示した図である。図のグラフの横軸は、周波数帯域を示し、縦軸は、無線送信電力のパワーを示している。
ＨＯ先のＢＳ１２は、ＨＯ元のＢＳ１１の電力増加させた周波数帯域を検出すると、その周波数帯域の電力を低減する。例えば、ＨＯ元のＢＳ１１が、周波数帯域ｆ４の電力を増加させたとする。この場合、ＨＯ先のＢＳ１２は、図に示すように、周波数帯域ｆ４の電力を低減する。これにより、周波数帯域ｆ４におけるセル干渉が低減され、周波数帯域ｆ４で通信を行うＨＯ元のＢＳ１１と端末２１は、残存パケットのスループットを向上させることができる。
【００６７】
図１２は、ＢＳのＨＯ要求後の電力を示した図である。図のグラフの横軸は、周波数帯域を示し、縦軸は、無線送信電力のパワーを示している。
図１１では、単に周波数帯域ｆ４の電力を低減するのみであった。これに対し、図１２では、低減した電力を他の周波数帯域の電力に割り当てる。例えば、ＣＱＩの増加する周波数帯域ｆ３に割り当てるようにする。これにより、ＢＳ１２と端末４２のスループットを向上させることができる。
【００６８】
ところで、ＨＯ元のＢＳ１１は、ＨＯ要求があると、特定の周波数帯域の電力を増加するが、共通パイロットを送信する電力と、パケット（無線データ）を送信する特定の周波数帯域の電力との両方の電力を増加するようにする。一方、ＨＯ先のＢＳ１２は、特定の周波数帯域の電力を低減するが、共通パイロットの電力はそのままで、パケットを送信する特定の周波数帯域の電力のみ低減する。
【００６９】
図１３は、ＨＯ元とＨＯ先のＢＳの電力を説明する図である。図１３において、図９と同じものには同じ符号を付し、その説明を省略する。図のセル３１内に示しているＰｉｌｏｔとＩｎｆｏは、ＢＳ１１の共通パイロットの電力と、パケットを送信する電力との増加分を示している。また、図のセル３２内に示しているＰｉｌｏｔとＩｎｆｏは、ＢＳ１２の共通パイロットの電力と、パケットを送信する電力との減少分を示している。
【００７０】
ＨＯ元のＢＳ１１は、ＨＯ要求があると、共通パイロットの電力を＋３ｄＢ増加させる。また、パケットを送信する周波数帯域ｆ４の電力を＋３ｄＢ増加させる。一方、ＨＯ先のＢＳ１２は、共通パイロットの電力はそのままで（０ｄＢ）、パケットを送信する周波数帯域ｆ４の電力を−３ｄＢ減少させる。
【００７１】
端末２１は、ＢＳ１１の共通パイロットの電力が＋３ｄＢ増加したことにより、＋３ｄＢ増加したＣＱＩをＢＳ１１に返すことになる。これにより、ＢＳ１１は、端末２１と１度に通信できるデータ量を増加させることができる。また、パケットを送信する電力を＋３ｄＢ増加したことにより、セルの干渉によるパケットの誤り発生を低減することができる。
【００７２】
また、ＨＯ先のＢＳ１２が、パケットを送信する電力を−３ｄＢ低減することにより、周波数帯域ｆ４におけるセルの干渉がさらに低減され、パケットの誤り発生を低減することができる。
【００７３】
また、ＣＱＩ遅延によるパケットの誤り発生の影響を低減することができる。
図１４は、ＣＱＩ遅延を説明する図である。図の横軸は、時間を示している。ＢＳ１１は、図の共通パイロットに示すように、共通パイロットを出力するとする。端末２１は、ＢＳ１１から共通パイロットを受信してＣＱＩを算出し、図のＣＱＩに示すタイミングでＢＳ１１に送信する。ＢＳ１１は、端末２１から送られてきたＣＱＩに基づいて、図の残存パケットに示すように残存パケットを送信する。
【００７４】
残存パケットは、図の矢印に示すように、端末２１が算出したＣＱＩに対し、遅延して送信される。従って、残存パケットが実際に送信されるときのＣＱＩは、端末２１が測定したときのＣＱＩの値と異なっている場合がある。そのため、端末２１において、残存パケットの誤りが生じる場合がある。
【００７５】
しかし、上述したように、ＨＯ先のＢＳ１２が、パケットを送信する電力を−３ｄＢ低減することにより、このようなＣＱＩの遅延があっても、パケットの誤り発生を低減することができる。
【００７６】
なお、ＨＯ先のＢＳ１２が、共通パイロットの電力を増加しないのは、ＢＳ１１の端末２１のＣＱＩ測定において、ＢＳ１２の共通パイロットが影響しないようにするためである。
【００７７】
ＨＯ先のＢＳ１２の機能について説明する。
図１５は、ＢＳの機能ブロック図である。図に示すようにＢＳ１２は、ＣＱＩ受信部１２ａ、周波数帯域検出部１２ｂ、および電力制御部１２ｃを有している。
【００７８】
ＣＱＩ受信部１２ａは、セル３２内の端末４１〜４４のＣＱＩを受信する。
周波数帯域検出部１２ｂは、ＣＱＩ受信部１２ａによって受信されたＣＱＩに基づいて、ＨＯ元のＢＳ１１がどの周波数帯域の電力を増減させたか検出する。
【００７９】
電力制御部１２ｃは、周波数帯域検出部１２ｂによって検出された周波数帯域の電力制御を行う。例えば、図１１，１２に示したように、ＨＯ元のＢＳ１１が電力を増加した周波数帯域ｆ４を低減し、ＨＯ元のＢＳ１１が電力を低減した周波数帯域ｆ３の電力を増加する。電力制御部１２ｃは、共通パイロットの電力はそのままで、パケットを送信する電力のみを増減する。
【００８０】
なお、図の機能ブロックは、ＢＳ１１からＨＯ要求があった後に動作を開始し、端末２１からパケットの送信要求あった後に動作を終了する。
また、図に示してないが、適応変調を行うスケジューラは、端末４１〜４４のＣＱＩに基づいて、スケジューリングを行い、周波数帯域ｆ１〜ｆ４を端末４１〜４４に割り当てる。スケジューラが図のＣＱＩ受信部１２ａ、周波数帯域検出部１２ｂ、および電力制御部１２ｃの機能を有するようにしてもよい。
【００８１】
ＢＳ１１，１２のスケジューラは、各端末のＣＱＩに基づいて、適応変調のＭＣＳ（Modulation and Coding Scheme）を決定する。ＭＣＳは、変調と符号化とが対応付けられ、さらに、ＣＱＩが対応付けられた値である。例えば、ＭＣＳ１は、ＱＰＳＫ（Quadrature Phase Shift Keying）の変調とＲ＝１／３の符号化とが対応付けられ、ＭＣＳ２は、ＱＰＳＫの変調とＲ＝１／２の符号化とが対応付けられ、ＭＣＳ１０は、１６ＱＡＭ（Quadrature Amplitude Modulation）とＲ＝８／９の符号化とが対応付けられている。そして、例えば、ＭＣＳ１とＣＱＩ０〜３とが対応付けられ、ＭＣＳ２とＣＱＩ４〜６とが対応付けられ、ＭＣＳ１０とＣＱＩ３０〜３５とが対応付けられている。従って、ＣＱＩの値により、ＭＣＳが決まり、無線通信のための変調方式が決まる。
【００８２】
このように、ＨＯ先のＢＳ１２の電力を低減することにより、パケットの誤り発生を低減できる。また、パケットの誤り発生を低減するので、パケットの再送が低減され、高速にパケット送信をすることができる。
【００８３】
以下、図２，９，１３に示したＨＯ元のＢＳ１１と、ＨＯ先のＢＳ１２と、端末２１との移動体通信システムの動作シーケンスについて説明する。
図１６は、移動体通信システムのシーケンス図である。
【００８４】
［ステップＳ１］端末２１は、ＢＳ１１の近隣に居るとする。端末２１とＢＳ１１は、電力制御を行っていない通常のパケットの送受信を行っている。
［ステップＳ２］端末２１は、セル３２の方向へ移動したとする。これにより、ＢＳ１２の共通パイロットの受信レベルは、ＢＳ１１の共通パイロットの受信レベルより大きくなり、端末２１は、ＢＳ１１に対してＨＯ要求を送信する。
【００８５】
［ステップＳ３］ＢＳ１１は、端末２１から受信したＨＯ要求をＢＳ１２に送信する。
［ステップＳ４］ＢＳ１１は、端末２１からのＨＯ要求を受けて、電力制御を開始する。例えば、ＢＳ１１は、図４に示したように、周波数帯域ｆ３の電力を周波数帯域ｆ４に割り当て増加するようにする。そして、ＢＳ１１は、ＨＯ要求を行った端末２１に対し、電力増加した周波数帯域ｆ４を割り当てるようにする。
【００８６】
なお、ＢＳ１１は、上述したように、端末２１からＨＯ要求を受け、さらに、端末２１の残存パケットのＱｏＳが所定のしきい値を超えた場合に、電力制御を開始するようにしてもよい。
【００８７】
［ステップＳ５］ＢＳ１２は、端末２１からのＨＯ要求を受けて、電力制御を開始する。例えば、ＢＳ１２は、セル３２内の端末４１〜４４からＣＱＩを受信する。ＢＳ１２は、受信したＣＱＩに基づいて、ＨＯ元のＢＳ１１が電力を増加した周波数帯域を検出する。そして、ＢＳ１２は、ＢＳ１１が電力増加させた周波数帯域を低減する。
【００８８】
［ステップＳ６］ＢＳ１１は、電力制御を開始した後、端末２１宛ての残存パケットを端末２１に送信する。
［ステップＳ７］ＢＳ１１は、残存パケットを全て端末２１に送信すると、電力制御を終了する。すなわち、ＢＳ１１は、図３に示したように、各周波数帯域において電力配分が均等となるようにする。
【００８９】
［ステップＳ８］ＢＳ１１は、電力制御を終えると、ＨＯ切替え要求を端末２１に送信する。
［ステップＳ９］端末２１は、ＢＳ１１からＨＯ切替え要求を受けると、ＨＯ先のＢＳ１２に対し、パケットの送信要求を行う。
【００９０】
［ステップＳ１０］ＢＳ１２は、端末２１からの送信要求を受けて、電力制御を終了する。すなわち、ＢＳ１２は、各周波数帯域において電力配分が均等となるようにする。
［ステップＳ１１］ＢＳ１２は、ＨＯ要求を出した端末２１と通信を開始する。ＢＳ１２は、図示していないが、これまでＣＮから送信されてきた端末２１宛ての蓄積パケットを端末２１に送信する。
【００９１】
［ステップＳ１２］端末２１とＢＳ１２は、通常のパケットの送受信を行う。
なお、ＨＯ要求は、端末が出力するとしたがこれに限らない。すなわち、ＢＳがＨＯ要求を出力するようにしてもよい。例えば、ＢＳ１１が、端末２１から送られてくる無線品質に基づいて、ＨＯ要求をＨＯ先のＢＳ１２に出力するようにしてもよい。この場合、ＢＳ１１は、自分が判断したＨＯ要求によって、電力制御を開始する。
【００９２】
また、端末２１のＢＳ１２への無線回線接続は、ステップＳ２のＨＯ要求後どのタイミングで行ってもよいが、ステップＳ８のＨＯ切替え要求が出力される前に行われていることが望ましい。
【００９３】
次に、ＨＯ元のＢＳ１１の、電力制御の動作について、フローチャートを用いて説明する。
図１７は、ＨＯ元のＢＳのフローチャートである。
【００９４】
［ステップＳ２１］ＢＳ１１は、端末２１からのＨＯ要求を受けて、電力制御を開始する。
［ステップＳ２２］ＢＳ１１は、ＨＯ要求を行ってきた端末２１の接続領域を固定する。接続領域とは、スケジューラが端末に割り当てる周波数帯域・空間・コード等のリソースを区分けした直交領域である。なお、これまでは、接続領域の周波数帯域に着目して説明してきた。
【００９５】
高性能な端末では、例えば、図３に示した周波数帯域ｆ１〜ｆ４の接続領域の全てをモニタできる。この場合、ＢＳ１１は、端末がＨＯ要求を行ってきたときの接続領域で固定する。
【００９６】
例えば、端末２１がＨＯ要求を行ったときの接続領域（周波数帯域）がｆ４であったとする。この場合、ＢＳ１１は、接続領域ｆ４を端末２１に固定する。なお、端末２１に固定されない接続領域ｆ１〜ｆ３は、接続領域外となる。
【００９７】
［ステップＳ２３］ＢＳ１１は、端末２１の接続領域外における一部の電力をα抑制する。例えば、ＢＳ１１は、接続領域ｆ３の電力をα抑制する。
［ステップＳ２４］ＢＳ１１は、端末２１の接続領域における電力をβ増加する。すなわち、ＢＳ１１は、接続領域ｆ４の電力をβ増加する。
【００９８】
［ステップＳ２５］ＢＳ１１は、端末２１宛ての残存パケットを端末２１に送信する。ＢＳ１１は、全ての残存パケットを送信すると、残存パケットの送信を完了する。
［ステップＳ２６］ＢＳ１１は、残存パケットの送信を完了すると、電力制御の処理を終了する。
【００９９】
［ステップＳ２７］ＢＳ１１は、端末２１に対し、ＨＯ切替え要求を出力する。
なお、上述のαとβには、α―β≧０の関係があるとする。これは、無線送信電力のアンプが飽和しないようにするためである。
【０１００】
次に、ＨＯ元のＢＳ１１の、別の電力制御の動作について、フローチャートを用いて説明する。
図１８は、ＨＯ元のＢＳの別のフローチャートである。図１８のフローチャートでは、ＢＳ１１は、端末２１に送信する残存パケットのスループットを監視する。そして、スループットが十分得られるまで電力の増減を制御する。
【０１０１】
［ステップＳ３１］ＢＳ１１は、端末２１からのＨＯ要求を受けて、電力制御を開始する。
［ステップＳ３２］ＢＳ１１は、ＨＯ要求を行ってきた端末２１の接続領域を固定する。ＢＳ１１は、例えば、接続領域ｆ４を端末２１に固定する。
【０１０２】
［ステップＳ３３］ＢＳ１１は、変数ｉを０に初期化する。
［ステップＳ３４］ＢＳ１１は、端末２１の接続領域外における一部の電力をαｉ抑制する。例えば、ＢＳ１１は、接続領域ｆ３の電力をαｉ抑制する。なお、電力αｉは、ｉが大きくなるほど大きくなる。すなわち、αｉ＋１＞αｉの関係がある。
【０１０３】
［ステップＳ３５］ＢＳ１１は、端末２１の接続領域における電力をβｉ増加する。例えば、ＢＳ１１は、接続領域ｆ４の電力をβｉ増加する。なお、電力βｉは、ｉが大きくなるほど大きくなる。すなわち、βｉ＋１＞βｉの関係がある。
【０１０４】
［ステップＳ３６］ＢＳ１１は、残存パケットのスループットを観測する。ＢＳ１１は、観測したスループットとしきい値とを比較し、所定のスループットが得られた場合、ステップＳ３８へ進む。所定のスループットが得られない場合、ステップＳ３７へ進む。
【０１０５】
［ステップＳ３７］ＢＳ１１は、変数ｉに１を加算する。
［ステップＳ３８］ＢＳ１１は、端末２１宛ての残存パケットを端末２１に送信する。ＢＳ１１は、全ての残存パケットを送信すると、残存パケットの送信を完了する。
【０１０６】
［ステップＳ３９］ＢＳ１１は、残存パケットの送信を完了すると、電力制御の処理を終了する。
［ステップＳ４０］ＢＳ１１は、端末２１に対し、ＨＯ切替え要求を出力する。
【０１０７】
次に、ＨＯ先のＢＳ１２の電力制御の動作について、フローチャートを用いて説明する。
図１９は、ＨＯ先のＢＳのフローチャートである。
【０１０８】
［ステップＳ５１］ＢＳ１２は、ＨＯ元のＢＳ１１からのＨＯ要求を受けて、電力制御を開始する。
［ステップＳ５２］ＢＳ１２は、セル３２内にある端末４１〜４４からＣＱＩを受信し、接続領域ｆ１〜ｆ４ごとにおけるＣＱＩをモニタする。
【０１０９】
［ステップＳ５３］ＢＳ１２は、接続領域ごとのＣＱＩがほぼ同一であるか（例えば、接続領域ごとのＣＱＩの差が所定範囲内であるか）判断する。接続領域ごとのＣＱＩがほぼ同一である場合、ステップＳ５８へ進む。接続領域ごとのＣＱＩがほぼ同一でない場合、ステップＳ５４へ進む。なお、ＨＯ元のＢＳ１１が電力制御を行っている場合、接続領域ごとのＣＱＩがほぼ同一でなくなるので、ステップＳ５４へ進むことになる。
【０１１０】
［ステップＳ５４］ＢＳ１２は、ＨＯ元のＢＳ１１の、電力制御の開始があったと判断する。
［ステップＳ５５］ＢＳ１２は、ＣＱＩの最も悪い接続領域を抽出する。例えば、ＨＯ元のＢＳ１１が接続領域ｆ４の電力を増加させたとすると、ＢＳ１２は、接続領域ｆ４を抽出することになる。
【０１１１】
［ステップＳ５６］ＢＳ１２は、抽出した接続領域の電力を、ＨＯ元のＢＳ１１が増加させたと判断する。
［ステップＳ５７］ＢＳ１２は、抽出した接続領域のデータ（パケット）送信電力を抑制する。
【０１１２】
［ステップＳ５８］ＢＳ１２は、端末２１からパケットの送信要求があったか否か判断する。すなわち、ＢＳ１２は、端末２１がＨＯ元のＢＳ１１から残存パケットを全て受信し、パケットの送信要求をしたか否か判断する。送信要求があった場合、ステップＳ６０へ進む。送信要求がなかった場合、ステップＳ５９へ進む。
【０１１３】
［ステップＳ５９］ＢＳ１２は、端末４１〜４４から新たなＣＱＩを受信し更新する。
［ステップＳ６０］ＢＳ１２は、電力制御を終了する。
次に、ＨＯ先のＢＳ１２の別の電力制御の動作について、フローチャートを用いて説明する。
【０１１４】
図２０は、ＨＯ先のＢＳの別のフローチャートである。図１９では、ＣＱＩの最も悪かった接続領域を抽出し、その電力を低減するようにした。これに対し、図２０のフローチャートでは、ＣＱＩの最もよかった接続領域も抽出し、その電力を増加するようにする。
【０１１５】
［ステップＳ７１］ＢＳ１２は、ＨＯ元のＢＳ１１からのＨＯ要求を受けて、電力制御を開始する。
［ステップＳ７２］ＢＳ１２は、セル３２内にある端末４１〜４４からＣＱＩを受信し、接続領域ｆ１〜ｆ４ごとにおけるＣＱＩをモニタする。
【０１１６】
［ステップＳ７３］ＢＳ１２は、接続領域ごとのＣＱＩがほぼ同一であるか判断する。ＣＱＩがほぼ同一である場合、ステップＳ７８へ進む。ＣＱＩがほぼ同一でない場合、ステップＳ７４へ進む。なお、ＨＯ元のＢＳ１１が電力制御を行っている場合、接続領域ごとのＣＱＩがほぼ同一でなくなるので、ステップＳ７４へ進むことになる。
【０１１７】
［ステップＳ７４］ＢＳ１２は、ＨＯ元のＢＳ１１の、電力制御の開始があったと判断する。
［ステップＳ７５］ＢＳ１２は、ＣＱＩの最も悪い接続領域と最もよい接続領域とを抽出する。例えば、ＨＯ元のＢＳ１１が接続領域ｆ４の電力を増加させたとすると、ＢＳ１２は、接続領域ｆ４を抽出することになる。また、ＨＯ元のＢＳ１１が接続領域ｆ３の電力を減少させたとすると、ＢＳ１２は、接続領域ｆ３を抽出することになる。
【０１１８】
［ステップＳ７６］ＢＳ１２は、抽出した接続領域の電力を、ＨＯ元のＢＳ１１が増減させたと判断する。例えば、ＢＳ１２は、ＢＳ１１が接続領域ｆ４の電力を増加させ、接続領域ｆ３の電力を低減したと判断する。
【０１１９】
［ステップＳ７７］ＢＳ１２は、抽出した最も悪いＣＱＩの接続領域のデータ送信電力をγ抑制する。また、ＢＳ１２は、抽出した最もよいＣＱＩの接続領域のデータ送信電力をη増加する。
【０１２０】
［ステップＳ７８］ＢＳ１２は、端末２１からパケットの送信要求があったか否か判断する。すなわち、ＢＳ１２は、端末２１がＨＯ元のＢＳ１１から残存パケットを全て受信し、パケットの送信要求をしたか否か判断する。送信要求があった場合、ステップＳ８０へ進む。送信要求がなかった場合、ステップＳ７９へ進む。
【０１２１】
［ステップＳ７９］ＢＳ１２は、端末４１〜４４から新たなＣＱＩを受信し更新する。
［ステップＳ８０］ＢＳ１２は、電力制御を終了する。
なお、上述のγとηには、γ―η≧０（γ＞０，η＞０）の関係があるとする。これは、無線送信電力のアンプが飽和しないようにするためである。
【０１２２】
このように、端末２１は、セル３１，３２の境界に居ても、ＨＯ元であるＢＳ１１から電力を増加した接続領域が割り当てられるので、隣接するセル３１，３２間の干渉の影響が抑制され、残存パケットの送受信のスループットを向上することができる。また、ＨＯ先であるＢＳ１２は、ＢＳ１１が電力増加させた接続領域の電力を下げるので、隣接するセルの干渉の影響が抑制され、残存パケットの送受信のスループットを向上することができる。
【０１２３】
また、従来では、セル干渉によってスループットが低下し、ＨＯ処理に時間がかかっていた。この場合、残存パケットの送信完了を待たずに強制的に、電波環境のよいＨＯ先のＢＳ１２に接続切替えすることも考えられる。しかし、端末２１に残存パケットが一部送信されず、パケット欠損が生じ、残存パケットの再送が必要となる。この残存パケットの再送は、例えば、上位レイヤのＴＣＰ層において補償されるが、ネットワーク経由となるため大きな遅延となる。
【０１２４】
これに対し、ＢＳ１１，１２は、電力制御を行うことにより、セル干渉を低減し、残存パケットのスループットを向上することができる。従って、ＨＯ処理の時間を短縮し、電波環境のよいＨＯ先のＢＳ１２に接続を切替えることなく、ＨＯ処理を行うことができる。
【０１２５】
以下、ＢＳ１２のＣＱＩのモニタについて詳細に説明する。
図２１は、ＣＱＩの時間変動を示した図である。図には、ある接続領域における端末Ａ１，Ａ２，…，ＡｎのＣＱＩを示している。ＢＳ１２は、接続領域ごとに、図に示すような端末Ａ１〜ＡｎのＣＱＩを取得する。
【０１２６】
ＢＳ１２は、ＨＯ元のＢＳ１１からＨＯ要求があると、電力制御を開始する。ＢＳ１２は、次の式（１）によって、接続領域ごとにおけるＣＱＩの平均値Ｘを算出する。
【０１２７】
【数１】
2008011292.tif 000003
なお、式（１）のｔは時間、ｆｉはｉ番目の周波数帯域、Ｋ（ｆｉ）は、周波数帯域ｆｉで接続する端末数、ＣＱＩ（ｎ，ｆｉ）は周波数帯域ｆｉで接続する端末ｎのＣＱＩ（対数次元）である。
【０１２８】
平均値Ｘ（ｔ，ｆｉ）は、対数領域における全端末の平均ＣＱＩを示している。なお、図２１に示したＸは、図２１の例における平均値Ｘの結果を示している。
ＨＯ元のＢＳ１１は、図３に示したように、均等に電力を出力するとする。ＨＯ先であるＢＳ１２のセル３２内に、各周波数帯域が割り当てられた端末がランダムに一様に配置されているとすると、端末数が多いほど、式（１）の平均値Ｘは、接続領域によらずおよそ同一値を示すようになる。
【０１２９】
セルラ通信においては、ＢＳが収容する端末数は多い。従って、ＨＯ元のＢＳ１１において、全ての接続領域に送信電力が等配分されているとすると、次の式（２）が成立する。
【０１３０】
【数２】
2008011292.tif 000004
すなわち、式（２）は、それぞれの接続領域間の差が、所定値（しきい値ＴＨｐ）内であることを意味する。従って、次の式（３）は、ＮＯとなる。
【０１３１】
【数３】
2008011292.tif 000005
次に、ＨＯ元のＢＳ１１が電力制御を行った場合について説明する。なお、ＢＳ１１は、接続領域ｆ４の電力を増加させ、接続領域ｆ３の電力を減少させたとして説明する。
【０１３２】
図２２は、接続領域ｆ３におけるＣＱＩの時間変動を示した図である。時間ｔ１において、ＨＯ元のＢＳ１１が接続領域ｆ３の電力を減少させたとする。すると、ＢＳ１２のセル３２内にある端末Ａ１，Ａ２，…，Ａｎにおいては、接続領域ｆ３による電波干渉が低減するためＳＩＮＲが改善し、ＣＱＩが上昇する。従って、平均値Ｘは、図に示すように時間ｔ１において、増加する。
【０１３３】
図２３は、接続領域ｆ４におけるＣＱＩの時間変動を示した図である。ＨＯ元のＢＳ１１が時間ｔ１において、接続領域ｆ４の電力を増加させたとする。すると、ＢＳ１２のセル３２内においては、接続領域ｆ４による電波干渉が大きくなりＳＩＮＲが悪化し、ＣＱＩが減少する。従って、平均値Ｘは、図に示すように時間ｔ１において、減少する。
【０１３４】
なお、セル３２の境界に近い端末は、ＢＳ１２の共通パイロットの受信レベルが小さく、そのためＣＱＩが小さい。従って、図２２，２３の例では、端末Ａ１のＣＱＩより端末ＡｎのＣＱＩのほうが小さく、端末Ａｎの方が端末Ａ１よりセル３２の境界に近い場所に存在しているといえる。
【０１３５】
また、セル３１，３２の境界近くにいる端末Ａｎの方が、ＢＳ１１の電力増減の影響を受けやすく、ＣＱＩの変化が大きい。従って、図２２，２３の例では、時間ｔ１におけるＣＱＩの変化は、端末Ａ１より端末Ａｎの方が大きくなくっている。
【０１３６】
式（１）で示した平均値Ｘは、ある接続領域における端末Ａ１，Ａ２，…，ＡｎのＣＱＩの統計平均値である。従って、この平均値Ｘによって、各接続領域におけるＣＱＩの変化をモニタすることが可能である。
【０１３７】
ここで、ＣＱＩの最も悪い接続領域と最もよい接続領域を求める方法として、式（２）の特性を用いる方法がある（方法１）。ＨＯ元のＢＳ１１で電力制御を開始していなければ、式（３）はＮＯの状態が保たれるが、電力制御が開始されると、式（３）はＹＥＳの状態になる。このとき、次の式（４）によって、ＣＱＩが最も悪い接続領域を求めることができ、また、式（５）によって、ＣＱＩが最もよい接続領域を求めることができる。
【０１３８】
【数４】
2008011292.tif 000006
また、別の方法２として、送信電力が等配分されていた状態（初期状態）の平均値Ｘをメモリに記憶しておき、現時点の平均値と比較する方法がある。接続領域ごとのＣＱＩをモニタし始めた時刻をｔ０とすると、初期状態の平均値であるＸ０は、次の式（６）で示すことができる。
【０１３９】
【数５】
2008011292.tif 000007
現時点との比較として、次の式（７）の差分情報Ｐ（ｆｉ）を求める。
【０１４０】
【数６】
2008011292.tif 000008
ここで、以下で示す式（８）により、全ての接続領域において、式（７）の差分情報Ｐがしきい値ＴＨｔより小さいか否か判定する。
【０１４１】
【数７】
2008011292.tif 000009
差分情報Ｐがしきい値以上ならば、ＨＯ元のＢＳ１１で電力制御の処理が開始したと判断し、次の式（９），（１０）によって、ＣＱＩが最も悪い接続領域と最もよい接続領域とを求めることができる。
【０１４２】
【数８】
2008011292.tif 000010
フローチャートを用いて、接続領域の抽出について説明する。まず、上記で説明した方法１における抽出について説明する。
【０１４３】
図２４は、方法１におけるフローチャートである。
［ステップＳ９１］ＨＯ先であるＢＳ１２は、ＨＯ元のＢＳ１１からのＨＯ要求を受けて、ＣＱＩのモニタを開始する。
【０１４４】
［ステップＳ９２］ＢＳ１２は、接続領域ごとに式（１）で示した平均値Ｘを算出する。
［ステップＳ９３］ＢＳ１２は、ステップＳ９２で算出した平均値Ｘに基づいて、式（３）の判定を行う。式（３）の結果がＹＥＳの場合、ステップＳ９５へ進む。式（３）の結果がＮＯの場合、ステップＳ９４へ進む。
【０１４５】
［ステップＳ９４］ＢＳ１２は、一定時間遅延してステップＳ９２へ進む。これは、接続領域ごとの新たなＣＱＩの平均値Ｘを求めるためである。
［ステップＳ９５］ＢＳ１２は、接続領域ごとにおけるＣＱＩにばらつきが発生したと判断する。すなわち、ＢＳ１２は、ＨＯ元のＢＳ１１が電力制御を行ったと判断する。
【０１４６】
［ステップＳ９６］ＢＳ１２は、式（４）に基づいて、ＣＱＩが最も悪い接続領域を抽出する。
［ステップＳ９７］ＢＳ１２は、式（５）に基づいて、ＣＱＩが最もよい接続領域を抽出する。
【０１４７】
このようにして、ＢＳ１２は、ＨＯ元のＢＳ１１が電力増減させた接続領域を抽出することができる。
図２５は、方法２におけるフローチャートである。
【０１４８】
［ステップＳ１０１］ＨＯ先であるＢＳ１２は、ＨＯ元のＢＳ１１からのＨＯ要求を受けて、ＣＱＩのモニタを開始する。
［ステップＳ１０２］ＢＳ１２は、ＢＳ１１が電力制御を行っていないときの接続領域ごとの平均値Ｘを算出する。
【０１４９】
［ステップＳ１０３］ＢＳ１２は、ステップＳ１０２で算出した平均値Ｘを、初期値Ｘ０としてメモリに保持する。
［ステップＳ１０４］ＢＳ１２は、接続領域ごとに式（１）で示した平均値Ｘを算出する。
【０１５０】
［ステップＳ１０５］ＢＳ１２は、ステップＳ１０３でメモリに保持した初期値Ｘ０と、ステップＳ１０４で算出した平均値Ｘとに基づいて、接続領域ごとに式（７）で示した差分情報Ｐを算出する。
【０１５１】
［ステップＳ１０６］ＢＳ１２は、ステップＳ１０５で算出した差分情報Ｐに基づいて、式（８）の判定を行う。式（８）の結果がＹＥＳの場合、ステップＳ１０８へ進む。式（８）の結果がＮＯの場合、ステップＳ１０７へ進む。
【０１５２】
［ステップＳ１０７］ＢＳ１２は、一定時間遅延してステップＳ１０４へ進む。これは、接続領域ごとの新たなＣＱＩの平均値Ｘを求めるためである。
［ステップＳ１０８］ＢＳ１２は、接続領域ごとにおけるＣＱＩにばらつきが発生したと判断する。すなわち、ＢＳ１２は、ＨＯ元のＢＳ１１が電力制御を行ったと判断する。
【０１５３】
［ステップＳ１０９］ＢＳ１２は、式（９）に基づいて、ＣＱＩが最も悪い接続領域を抽出する。
［ステップＳ１１０］ＢＳ１２は、式（１０）に基づいて、ＣＱＩが最もよい接続領域を抽出する。
【０１５４】
このようにして、ＢＳ１２は、ＨＯ元のＢＳ１１が電力増減させた接続領域を抽出することができる。
なお、これまでの説明において、ＨＯ元のＢＳ１１とＨＯ先のＢＳ１２との機能を別々に説明したが、ＢＳ１１は、ＢＳ１２の機能を有し、また、ＢＳ１２は、ＢＳ１１の機能を有している。つまり、ＢＳ１２のセル内の端末がＨＯ要求を行ったとすると、ＢＳ１２は、上記で説明したＢＳ１１と同様の電力制御を行い、ＢＳ１１は、上記で説明したＢＳ１２と同様の電力制御を行うことになる。
【０１５５】
（付記１）  複数の周波数帯域を重複しないように端末に割り当て無線通信を行う基地局の通信装置において、
前記複数の周波数帯域の１つの周波数帯域の無線送信電力を増加させる電力増加手段と、
ハンドオーバする前記端末に前記無線送信電力を増加させた前記周波数帯域を割り当てる周波数帯域割り当て手段と、
を有することを特徴とする通信装置。
【０１５６】
（付記２）  前記電力増加手段は、前記ハンドオーバする前記端末の残存パケットのＱｏＳがしきい値を超えた場合に、前記無線送信電力を増加することを特徴とする付記１記載の通信装置。
【０１５７】
（付記３）  前記電力増加手段は、前記無線送信電力を増加するとき、他の前記周波数帯域の前記無線送信電力を割り当てることを特徴とする付記１記載の通信装置。
（付記４）  前記端末のスループットを検出するスループット検出手段と、をさらに有し、
前記電力増加手段は、前記スループットに応じて、前記無線送信電力を増加させることを特徴とする付記１記載の通信装置。
【０１５８】
（付記５）  前記電力増加手段は、前記ハンドオーバの開始によって前記無線送信電力を増加し、前記ハンドオーバの終了によって増加した前記無線送信電力を元に戻すことを特徴とする付記１記載の通信装置。
【０１５９】
（付記６）  セル内の前記端末の無線品質を検出する無線品質検出手段と、
前記無線品質に基づいて、ハンドオーバ元通信装置が前記無線送信電力を増加させた前記周波数帯域を検出する周波数検出手段と、
検出した前記周波数帯域の前記無線送信電力を低減する電力低減手段と、
を有することを特徴とする付記１記載の通信装置。
【０１６０】
（付記７）  前記電力低減手段は、低減する前記無線送信電力を他の前記周波数帯域の前記無線送信電力に割り当てることを特徴とする付記６記載の通信装置。
（付記８）  前記電力低減手段は、共通パイロットの前記無線送信電力はそのままでデータを送信する前記無線送信電力を低減することを特徴とする付記６記載の通信装置。
【０１６１】
（付記９）  前記電力低減手段は、前記ハンドオーバの開始によって前記無線送信電力を低減し、前記ハンドオーバの終了によって低減した前記無線送信電力を元に戻すことを特徴とする付記６記載の通信装置。
【０１６２】
（付記１０）  前記周波数帯域ごとに前記無線品質の平均を算出する平均算出手段と、
前記周波数帯域ごとの前記平均の差に基づいて、前記ハンドオーバ元通信装置が前記無線送信電力を増加させたか否か判断する無線送信電力判断手段と、
を有することを特徴とする付記６記載の通信装置。
【０１６３】
（付記１１）  前記周波数帯域ごとに前記無線品質の平均を算出する平均算出手段と、
前記ハンドオーバ元通信装置が前記無線送信電力を増加させていないときの前記平均を記憶する平均記憶手段と、
現在の前記平均と前記平均記憶手段によって記憶した前記平均との差に基づいて、前記ハンドオーバ元通信装置が前記無線送信電力を増加させたか否か判断する無線送信電力判断手段と、
を有することを特徴とする付記６記載の通信装置。
【図面の簡単な説明】
【０１６４】
【図１】通信装置の概要を示した図である。
【図２】移動体通信システムの構成例を示した図である。
【図３】ＢＳの通常時の電力を示した図である。
【図４】ＢＳのＨＯ要求後の電力を示した図である。
【図５】通常時のスケジューリングを説明する図である。
【図６】ＨＯ要求後のスケジューリングを説明する図である。
【図７】ＱｏＳによる電力制御の処理を説明する図である。
【図８】ＢＳの機能ブロック図である。
【図９】移動体通信システムの構成例を示した図である。
【図１０】ＨＯ先のＢＳと通信している端末のＣＱＩを示した図である。
【図１１】ＢＳのＨＯ要求後の電力を示した図である。
【図１２】ＢＳのＨＯ要求後の電力を示した図である。
【図１３】ＨＯ元とＨＯ先のＢＳの電力を説明する図である。
【図１４】ＣＱＩ遅延を説明する図である。
【図１５】ＢＳの機能ブロック図である。
【図１６】移動体通信システムのシーケンス図である。
【図１７】ＨＯ元のＢＳのフローチャートである。
【図１８】ＨＯ元のＢＳの別のフローチャートである。
【図１９】ＨＯ先のＢＳのフローチャートである。
【図２０】ＨＯ先のＢＳの別のフローチャートである。
【図２１】ＣＱＩの時間変動を示した図である。
【図２２】接続領域ｆ３におけるＣＱＩの時間変動を示した図である。
【図２３】接続領域ｆ４におけるＣＱＩの時間変動を示した図である。
【図２４】方法１におけるフローチャートである。
【図２５】方法２におけるフローチャートである。
【図２６】ハンドオーバを説明するための移動体通信システムを示した図である。
【図２７】図２６の移動体通信システムのシーケンス図である。
【図２８】残存パケットと蓄積パケットを説明する図である。
【符号の説明】
【０１６５】
１，３  通信装置
１ａ  電力増加手段
１ｂ  周波数帯域割り当て手段
２ａ〜２ｎ  端末
【図１】
2008011292.tif 000011
【図２】
2008011292.tif 000012
【図３】
2008011292.tif 000013
【図４】
2008011292.tif 000014
【図５】
2008011292.tif 000015
【図６】
2008011292.tif 000016
【図７】
2008011292.tif 000017
【図８】
2008011292.tif 000018
【図９】
2008011292.tif 000019
【図１０】
2008011292.tif 000020
【図１１】
2008011292.tif 000021
【図１２】
2008011292.tif 000022
【図１３】
2008011292.tif 000023
【図１４】
2008011292.tif 000024
【図１５】
2008011292.tif 000025
【図１６】
2008011292.tif 000026
【図１７】
2008011292.tif 000027
【図１８】
2008011292.tif 000028
【図１９】
2008011292.tif 000029
【図２０】
2008011292.tif 000030
【図２１】
2008011292.tif 000031
【図２２】
2008011292.tif 000032
【図２３】
2008011292.tif 000033
【図２４】
2008011292.tif 000034
【図２５】
2008011292.tif 000035
【図２６】
2008011292.tif 000036
【図２７】
2008011292.tif 000037
【図２８】
2008011292.tif 000038